(57)【要約】【課題】加熱ガラスシートをプレス曲げする改善されたプレス曲げステーションを提供することにある。【解決手段】下方支持体（３８）およびホイール組立体（４０）を備えた下方ホイールベッド（３６）を有し、駆動機構（４８）への着脱可能な連結部（４６）が下方支持体の連続駆動部材（１１２）を備え、各ホイール組立体のホイール（４４）の回転駆動を行なうように構成された加熱ガラスシート（Ｇ）のプレス曲げステーション（１２）。アクチュエータ（６２）は、下方垂直オペレータ（８８）および上方垂直オペレータ（９０）を用いて、下方マウント（５０）の下方プレスリング（５２）と上方マウント（５６）の上方プレス金型（５８）との間の相対垂直移動を付与する。
2004530624.tif 000002
【特許請求の範囲】
【請求項１】
プレス曲げすべき加熱ガラスシートを受入れる下方ホイールベッドを有し、下方ホイールベッドは支持体および複数のホイール組立体を備え、各ホイール組立体はハウジングを備え、該ハウジングはホイールを含む上端部と、ホイール組立体に支持体を着脱可能に連結するための着脱可能な連結部とを備え、
ホイール組立体を支持体に連結したときに、各ホイール組立体のホイールを回転駆動させる駆動機構と、
上向き湾曲形状を備えた下方プレスリングを支持する下方マウントとを有し、下方プレスリングは、ホイール組立体が配置されない場合にリング状をなすホイール組立体のホイールの下でホイールベッド内に受入れられ、
下方プレスリングの上向き湾曲形状を補完する下向き湾曲成形面を備えた上方プレス金型を支持する上方マウントと、
ホイールベッドと下方プレスリングとの間および下方プレスリングと上方プレス金型との間に相対垂直移動を付与して、加熱ガラスシートをホイールベッドの上方に移動させ、かつ下方プレスリングと上方プレス金型とをプレス係合させてガラスシートをプレス曲げするアクチュエータとを更に有することを特徴とする加熱ガラスシートをプレス曲げするためのプレス曲げステーション。
【請求項２】
ホイールベッドは搬送方向に対して横方向の湾曲形状を有し、ホイールベッドは、搬送方向に対して横方向に予め曲げられた形状をもつ加熱ガラスシートを、搬送方向に沿って受入れることを特徴とする請求項１記載のプレス曲げステーション。
【請求項３】
ホイールベッドの支持体は複数のレールを有し、該複数のレールは、搬送方向に沿って延びかつ搬送方向に対して横方向に沿って異なる高さを有し、ホイールベッドの湾曲形状を形成することを特徴とする請求項２記載のプレス曲げステーション。
【請求項４】
ホイールベッドは搬送方向に沿っておよび搬送方向に対して横方向に平らな形状を有し、ホイールベッドは搬送方向に沿って加熱ガラスシートを受入れることを特徴とする請求項１記載のプレス曲げステーション。
【請求項５】
ホイールベッドの支持体は複数のレールを有し、該複数のレールは、搬送方向に沿って延びかつ搬送方向に対して横方向に沿って同じ高さを有し、ホイールベッドの平形状を形成することを特徴とする請求項４記載のプレス曲げステーション。
【請求項６】
駆動機構は、レールに取付けられたホイール組立体のホイールを回転駆動するための、各レールに取付けられた連続駆動部材を有していることを特徴とする請求項３または５記載のプレス曲げステーション。
【請求項７】
各ホイール組立体はハウジングおよび下方駆動部材を有し、該下方駆動部材はハウジング上で回転可能に支持されかつ関連レールの連続駆動部材により回転駆動されて、ハウジングの上端部のホイールを回転駆動することを特徴とする請求項６記載のプレス曲げステーション。
【請求項８】
各ホイール組立体は、ホイールを回転駆動するための、下方駆動部材とハウジングの上端部のホイールとの間に延びている駆動ベルトを有していることを特徴とする請求項７記載のプレス曲げステーション。
【請求項９】
各ホイール組立体の着脱可能な連結部は、支持体への着脱可能な連結を行なうクランプを有していることを特徴とする請求項１記載のプレス曲げステーション。
【請求項１０】
曲げるべき加熱ガラスシートを、複数のホイールを備えたホイールベッド上に搬送する段階を有し、複数のホイールはホイールベッドの支持体に固定されると回転駆動され、下方プレスリングの形状はホイールベッドのホイールを全くもたないため、湾曲形状を有する下方プレスリングが、ホイールより下方でかつホイール上のガラスシートより下方で並びにホイールベッドより上方の上方プレス金型よりも下方に配置され、
下方プレスリングとホイールベッドとの間および下方プレスリングと上方プレス金型との間に相対垂直移動を付与して、加熱ガラスシートをホイールベッドの上方に移動させ、かつ下方プレスリングと上方プレス金型とをプレス係合させてガラスシートをプレス曲げする段階を更に有することを特徴とする加熱ガラスシートのプレス曲げ方法。
【請求項１１】
加熱ガラスシートは、プレス曲げの準備での予め曲げられた形状でホイールベッド上に搬送されることを特徴とする請求項１０記載の加熱ガラスシートのプレス曲げ方法。
【請求項１２】
加熱ガラスシートは、プレス曲げの準備での平らな形状でホイールベッド上に搬送されることを特徴とする請求項１０記載の加熱ガラスシートのプレス曲げ方法。
【請求項１３】
ホイールベッド支持体に連結されたホイール組立体のホイールを回転駆動する、ホイールベッド支持体への着脱可能な連結部を有するホイール組立体を備えた下方ホイールベッドの第一リング状空隙内に受入れられる第一上向き湾曲形状をもつ第一下方プレスリングを取外す段階と、
第二上向き湾曲形状をもつ第二下方プレスリングを受入れる第二リング状空隙を形成するのに必要な全てのホイール組立体をホイールベッド支持体から取外し、かつホイール組立体を、ホイールベッド支持体の第二リング状空隙内ではなく第一リング状空隙内に取付ける段階と、
第二下方プレス曲げリングを、下方ホイールベッドの第二リング状空隙内に装着する段階とを有するガラスシートプレス曲げ作業切換え方法。
【請求項１４】
第一下方プレスリングの第一上向き湾曲形状を補完する下向き湾曲形状を有する第一上方プレス金型が、ホイールベッドの上方の上方マウントから取外され、第二下方リング金型の第二上向き湾曲形状を補完する下向き湾曲形状を有する第二上方プレス金型を装着する段階を有することを特徴とする請求項１３記載のガラスシートプレス曲げ作業切換え方法。
【発明の詳細な説明】
【技術分野】
【０００１】
本発明は、加熱ガラスシートのプレス曲げステーションおよび加熱ガラスシートの曲げ方法に関する。
【背景技術】
【０００２】
ガラスシート加工システムは、これまで、加熱炉の下流側に配置されたプレス曲げステーションを有し、炉内でガラスシートをその曲げ温度に加熱した後に、加熱ガラスシートをプレス曲げしている。特許文献１および２（下記特許文献１および２参照）には、ロール曲げステーションの下流側に配置されたプレス曲げステーションを備えたガラスシート加工システムが開示されており、ロール曲げステーションも関連加熱炉の下流側に配置されている。これらの両特許のロール曲げステーションには水平ロールおよび横方向に間隔を隔てた数組の傾斜ロールが設けられ、かつ各傾斜ロールの傾斜は搬送方向に沿って徐々に増大するように設定されており、各加熱ガラスシートを成形しかつ該ガラスシートをプレスステーションに搬送して、該プレスステーションにおいて上下の金型の間で連続的にプレスする。
【０００３】
特許文献３（下記特許文献３参照）に開示されているように、加熱ガラスシートのロール曲げも行なわれており、この装置は、炉加熱チャンバの外部で支持されかつ回転駆動されるコンベアロールを有し、ロールの同時傾動前に加熱ガラスシートを受入れて、加熱チャンバ内で加熱ガラスシートを成形する。
１つのガラスシート製造から他のガラスシート製造に切換えるとき、この切換え時間は、得られる製品のコストを必然的に増大させる損失を意味し、従ってこのような切換えはできる限り迅速に行なうのが有利である。
【０００４】
【特許文献１】
米国特許第５，３６８，６２５号明細書（Mizusugi）
【特許文献２】
米国特許第５，５４５，２４５号明細書（Mizusugi）
【特許文献３】
フランス国特許第２２２１４０９号明細書（発明者：Maurice Nedelec）
【発明の開示】
【発明が解決しようとする課題】
【０００５】
本発明の１つの目的は、加熱ガラスシートをプレス曲げする改善されたプレス曲げステーションを提供することにある。
本発明の他の目的は、加熱ガラスシートの改善されたプレス曲げ方法を提供することにある。
本発明のさらに他の目的は、改善されたガラスシートプレス曲げ作業切換え方法を提供することにある。
【課題を解決するための手段】
【０００６】
上記１つの目的を達成するため、加熱ガラスシートをプレス曲げすべく本発明に従って構成されたプレス曲げステーションは、プレス曲げすべき加熱ガラスシートを受入れる下方ホイールベッドを有している。下方ホイールベッドは、支持体および複数のホイール組立体を備えている。各ホイール組立体はハウジングを備え、該ハウジングはホイールを含む上端部と、ホイール組立体に支持体を着脱可能に連結するための着脱可能な連結部とを備えている。プレス曲げステーションの駆動機構は、ホイール組立体を支持体に連結したときに、各ホイール組立体のホイールを回転駆動する。プレス曲げステーションの下方マウントは、上向き湾曲形状を備えた下方プレスリングの支持体を形成し、下方プレスリングは、ホイール組立体が配置されない場合にリング状をなすホイール組立体のホイールの下でホイールベッド内に受入れられる。プレス曲げステーションの上方マウントは、下方プレスリングの上向き湾曲形状を補完する下向き湾曲成形面を備えた上方プレス金型を支持する。プレス曲げステーションのアクチュエータは、ホイールベッドと下方プレスリングとの間および下方プレスリングと上方プレス金型との間に相対垂直移動を付与して、加熱ガラスシートをホイールベッドの上方に移動させ、かつ下方プレスリングと上方プレス金型とをプレス係合させてガラスシートをプレス曲げする。
【０００７】
プレス曲げステーションの一実施形態では、ホイールベッドは搬送方向に対して横方向の湾曲形状を有し、ホイールベッドは、搬送方向に対して横方向に予め曲げられた形状をもつ加熱ガラスシートを、搬送方向に沿って受入れる。プレス曲げのこの実施形態は、ホイールベッドの支持体を有し、該支持体は複数のレールを有し、該複数のレールは、搬送方向に沿って延びかつ搬送方向に対して横方向に沿って異なる高さを有し、ホイールベッドの湾曲形状を形成する。
【０００８】
他の実施形態では、ホイールベッドは搬送方向に沿っておよび搬送方向に対して横方向に平らな形状を有し、ホイールベッドは搬送方向に沿って加熱ガラスシートを受入れる。この実施形態はホイールベッドを有し、該ホイールベッドは複数のレールを有し、該複数のレールは、搬送方向に沿って延びかつ搬送方向に対して横方向に沿って同じ高さを有し、ホイールベッドの平形状を形成する。
【０００９】
プレス曲げステーションの各実施形態は駆動機構を有し、該駆動機構は、レールに取付けられたホイール組立体のホイールを回転駆動するための、各レールに取付けられた連続駆動部材を有している。各ホイール組立体はハウジングおよび下方駆動部材を有し、該下方駆動部材はハウジング上で回転可能に支持されかつ関連レールの連続駆動部材により回転駆動されて、ハウジングの上端部のホイールを回転駆動する。各ホイール組立体は、ホイールを回転駆動するための、下方駆動部材とハウジングの上端部のホイールとの間に延びている駆動ベルトを有している。
各ホイール組立体の着脱可能な連結部は、支持体への着脱可能な連結を行なうクランプを有している。
【００１０】
上記他の目的を達成するため、本発明による加熱ガラスシートのプレス曲げ方法は、曲げるべき加熱ガラスシートを、複数のホイールを備えたホイールベッド上に搬送することにより達成され、複数のホイールはホイールベッドの支持体に固定されると回転駆動され、下方プレスリングの形状はホイールベッドのホイールを全くもたないため、湾曲形状を有する下方プレスリングが、ホイールより下方でかつホイール上のガラスシートより下方で並びにホイールベッドより上方の上方プレス金型よりも下方に配置する構成を有している。下方プレスリングとホイールベッドとの間および下方プレスリングと上方プレス金型との間に相対垂直移動が付与され、加熱ガラスシートがホイールベッドの上方に移動され、かつ下方プレスリングと上方プレス金型とがプレス係合されて、ガラスシートがプレス曲げされる。
【００１１】
上記さらに他の目的を達成するため、本発明の作業切換え方法は、ホイールベッド支持体に連結されたホイール組立体のホイールを回転駆動する、ホイールベッド支持体への着脱可能な連結部を有するホイール組立体を備えた下方ホイールベッドの第一リング状空隙内に受入れられる第一上向き湾曲形状をもつ第一下方プレスリングを取外すことにより達成される。第二上向き湾曲形状をもつ第二下方プレスリングを受入れることができるように、第二リング状空隙内にない任意の必要なホイール組立体が第一リング状空隙内に取付けられる。上向き湾曲形状をもつ第二下方プレスリングが、下方ホイールベッドの第二リング状空隙内に装着され、これにより異なる形状の曲げが可能になる。
上記ガラスシートプレス曲げ作業切換え方法の遂行に際し、或る作業は、第一下方プレスリングの第一上向き湾曲形状を補完する下向き湾曲形状を有する第一上方プレス金型が、ホイールベッドの上方の上方マウントから取外されることを必要とする。また、第二下方リング金型の第二上向き湾曲形状を補完する下向き湾曲形状を有する第二上方プレス金型が装着されて、このような適用での作業切換えが完了される。
【発明を実施するための最良の形態】
【００１２】
本発明の上記目的、特徴および長所は、添付図面を参照して述べる本発明の好ましい実施形態の以下の詳細な説明から容易に理解されよう。
添付図面の図１に示すように、全体を参照番号１０で示すガラスシート加工システムは、本発明に従って構成されたプレス曲げステーションの一実施形態を有している。プレス曲げステーション１２および該ステーションの操作方法の両方を一体化した態様で説明することにより、本発明のあらゆる態様の理解を容易にする。
引続き図１を参照すると、システム１０は、搬送方向Ｃに沿って、プレス曲げステーション１２から直ぐ上流側に、ロール曲げステーション１６を備えた炉１４を有している。システム１０は、搬送方向Ｃに沿ってプレス曲げステーション１２から下流側に、ロール曲げステーション１６により曲げられた成形ガラスシートの急冷を行なう焼入れステーション１８を有し、プレスステーション１２はより完全に後述する。
【００１３】
引続き図１を参照すると、炉１４は入口端２０および出口端２２および加熱チャンバ２４（図２）を有している。加熱チャンバ２４は、ガラスシートを、入口端から出口端まで炉を通して搬送方向に沿って搬送する。コンベア２４（この上でガラスシートが加熱される）は、慣用のガス炉床で構成するか、ガラスシートが、加熱中に、大気温度から曲げが充分に可能な高温まで搬送されるロールコンベアで構成できる。
炉の出口端２２にはロール曲げステーション１６が設けられ、該ロール曲げステーション１６は図２に示すように、水平に延びているコンベアロール２８を有している。コンベアロール２８は回転駆動され、かつ加熱ガラスシートを支持しかつ搬送するため、加熱チャンバ内で搬送方向に沿って水平に間隔を隔ておりかつ搬送方向に横方向に延びている。ロール曲げステーション１６はまた、対をなす曲げロール３２の複数の組３０を有し、曲げロールの組３０は、加熱チャンバ２４内で、搬送方向に沿って互いに横方向に間隔を隔てて配置されている。各組の曲げロール３０は駆動機構３４により支持されかつ回転駆動され、曲げロールは、図２に参照番号３２a、３２b、３２c、３２dで示すように搬送方向に沿って徐々に傾斜が増大している。曲げロール３２と協働して、搬送方向に沿って各加熱ガラスシートＧを搬送すると、図２に示すように、搬送方向に対して横方向にガラスシートを曲げる。
【００１４】
図１および図３〜図５を参照すると、前述のようにプレス曲げステーション１２は、出口端２２から下流側で炉１４の外部に配置されており、ロール曲げステーション１６からロール曲げされたガラスシートを受入れる。より詳しくは、プレス曲げステーション１２は、曲げるべき加熱ガラスシートを受入れるための下方のホイールベッド３４を有している。下方ホイールベッド３４は、下方支持体３８および複数のホイール組立体４０を有している。より完全に後述するように、各ホイール組立体４０はハウジング４２を有し、該ハウジング４２は、ホイール４４を備えた上端部と、ホイール組立体と支持体３８とを着脱可能に連結する着脱可能な連結部を備えた下端部とを有している。図１０〜図１３に関連してより完全に後述するように、駆動機構４８（図１０）は、ホイール組立体４０と支持体３８とが連結されたときに、各ホイール組立体４０のホイールを回転駆動する。
【００１５】
図３に示すように、参照番号５０で概略的に示す下方マウントは下方プレスリング５２を有し、該下方プレスリングは、上向きの湾曲形状５４を有しかつリング形状をなすホイール組立体のホイール４４の下のホイールベッド３４内に受け入れられる（この場合には、図５に最も良く示すように、ホイール組立体は配置されない）。図３に示すように、プレスステーション１２の上方マウント５６は、上方のプレス金型５８を支持し、該上方プレス金型５８は、下方のプレスリング５２の上向き湾曲形状５４を補完する形状の下向き湾曲成形面６０を備えている。
【００１６】
図３および図４に参照番号６２で集合的に示すアクチュエータは、ホイールベッド３６と下方プレスリング５２との間、および下方プレスリング５２と上方プレス金型５８との間で相対垂直運動を与えて加熱ガラスシートをホイールベッドの上方に移動させ、かつ下方プレスリングと上方プレス金型とをプレス係合させてガラスシートをプレス曲げする。
【００１７】
図１〜図５に示しかつ上述したプレス曲げステーション１２の実施形態では、ホイールベッド３６は搬送方向に対して横方向の湾曲形状を有し、ホイールベッドは、搬送方向に沿って、図１および図２に示したロール曲げステーション１６により与えられる搬送方向に対して横方向の、予め曲げられた湾曲形状に一致する加熱ガラスシートを受入れる。より詳しくは、ホイールベッド３６の支持体３８は複数のレール６４を有し、該レール６４は搬送方向に沿って延びかつ図３に示すように、搬送方向に対して横方向に沿って異なる高さを有し、ホイールベッドの湾曲形状を形成する。
【００１８】
図６および図７を参照すると、ガラス加工システムの他の実施形態の全体が参照番号１０′で示され、そのプレス曲げステーション１２′は、前述の実施形態と同じ構造を有する。同類の構成要素は同じ参照番号を有し、大部分の前述の説明は適用可能で、ここでは反復しない。しかしながら、システム１０′では、炉１４′は、前述のようにいかなるロール曲げをも行なうことなく平ガラスシートを加熱しかつガラスシートをプレス曲げステーション１２′に搬送し、このためガラスシートはプレスステーションに供給されるときに予め全く曲げられていない平らな形状を有している。かくして、図６および図７に示すように、ホイールベッド３６′は、搬送方向Ｃ（搬送方向Ｃに沿ってホイールベッドが加熱ガラスシートを受入れる）に沿っておよび搬送方向に対して横方向に平らな形状を有している。より詳しくは、ホイールベッド３６の支持体３８′は、搬送方向に沿って延びかつ搬送方向に対して横方向に沿う同じ高さをもつレール６４を有し、ホイールベッドの平らな形状を形成している。
【００１９】
図１および図６に示すように、プレス曲げステーション１２（図１）および１２′（図６）の各実施形態には、搬送方向および搬送方向に対して横方向の両方向に曲げを付与するため、下方プレスリング５２および上方プレス金型５８の成形面６０を設け、成形面６０には搬送方向Ｃに沿う真直形状または搬送方向Ｃに沿う湾曲形状を設けることができる。上方プレス金型５８は、プレス曲げ後に、曲げられたガラスシートを支持するため、真空源６６から真空が供給される成形面６０を有している。上方プレス金型５８が上方に移動すると、焼入れステーション１８のシャトル６８がアクチュエータ７０により移動され、焼入れリング７２を、上方プレス金型５８の下で左方に移動させる。次に、上方金型表面６０に加圧ガスを供給することにより、真空源６６による真空の供給が停止され、ガラスシートが焼入れリング上に解放される。次に、シャトルアクチュエータ７０がシャトル６８を図示の位置に向かって右方に戻す。これにより、焼入れリング７２および該リング上の成形されたガラスシートが、上下の焼入れヘッド７６、７４の間に配置される。上下の焼入れヘッド７６、７４は、それぞれ、下向きおよび上向きの焼入れガスを供給してガラスシートを急冷し、ガラスシートを高靭化させて、機械的強度を増大させる。
図示されたプレスステーションの両実施形態１２、１２′は、焼入れステーションに使用されるものとして例示されているが、本発明によるプレス曲げは、車両の積層ウインドシールド（フロントガラス）の製造の場合のようにアニーリングにより遂行することもできることに留意されたい。
【００２０】
図８および図９を参照すると、上記プレス曲げステーションが、その下方ホイールベッド３６に、搬送方向に対して横方向の湾曲形状が設けられているところが示されている。ねじアジャスタ７８はレール６４を有し、該レール６４上にはホイール組立体４０が取付けられ、ホイール組立体は、下方ホイールベッド３６が図示のような湾曲形状をとるか、図７に示しかつ前述したような平形状をとるように調節できる。より詳しくは、ねじアジャスタ７８は、下方支持体３８の下方ベース８０上にレール６４を支持している。
【００２１】
引続き図８および図９を参照すると、プレス曲げステーション１２は参照番号８２により集合的に示すフレーム構造を有し、該フレーム構造は、水平ビーム（梁）８６により連結された垂直支柱８４を備えている。図３および図７に関連して前述した垂直アクチュエータ６２は、下方ホイール組立体３６に対して下方プレスリング５２を垂直に移動させる下方垂直オペレータ８８と、フレーム構造８４および下方プレスリング５２に対して上方プレス金型５８を垂直に移動させる上方垂直オペレータ９０とを有している。より詳しくは、下方垂直オペレータ８８は電気モータ９２を有し、該モータ９２の出力によりベルト９４が駆動され、これによりボールねじ９６が作動される。ボールねじ９６は下方ビーム８６に取付けられかつ下方プレスリングマウント５０（図３）に連結されていて、前述しかつ図３および図７に示された下方プレスリング５２を垂直移動させる。また、上方垂直オペレータ９０は電気モータドライブ９８を有し、該モータドライブの出力によりベルト１００が駆動され、これによりボールねじ１０２が駆動される。ボールねじ１０２は、上方プレス金型５８が取付けられる上方マウント５６の矩形フレーム１０４を移動させる。より詳しくは、ボールねじ１０２は上方ビーム８６に取付けられかつ下方に延びていて、上方プレス金型マウントフレーム１０４のコーナでスライド連結具１０６を支持している。これらのスライド連結具１０６は垂直支柱８４上のスライドガイド１０８に連結されており、これにより、ボールねじを作動させると、上方プレス金型フレームマウント１０４の案内された垂直移動が得られる。対角線方向に対向するコーナに配置されたスライド連結具１０６は、熱的に安定した中心１１０で交差する整合軸線の回りで摺動できる。加熱時および冷却時に、上方プレス金型５８が中心１１０の回りで膨張および収縮して、曲げが生じる形状の位置の精度が確保される。
【００２２】
プレス曲げステーション１２は、エアフロート支持体によりガラス加工システム内の位置に移動できるように、耐火床上に支持することができる。所定位置への移動中に焼入れステーションを案内するのに、ローラガイドレールを使用できる。孔内に受入れられる空気作動型ピンを使用して位置決めを行なうことができる。センタピンは、上方プレス金型の熱的中心での丸孔内に受入れられ、かつセンタピンの両側での１対のスロット状の孔は、熱膨張を可能にすると同時にセンタピンの回りの適正な角度整合を確保する。
また、間欠的に他の作業と反復される或る製造作業の場合には、各作業のための専用化したプレス曲げステーションにしかつ作業変更のためにプレス曲げステーションを切換ええたい場合がある。
また、他の作業と間欠的に行なわれる或る製造作業では、各作業のために専用化されたプレス曲げステーションにすること、および作業変更のためにプレス曲げステーションを切換えたい場合がある。
【００２３】
図４に概略的に示した下方ホイールベッド３６の駆動機構４８が、各レール６４上の連続駆動部材１１２を含めた形態で図１０に更に示されている。適当な電気モータドライブは出力１１４を有し、該出力１１４は全ての駆動部材１１２を駆動し、各駆動部材１１２は全体を参照番号１１６で示すテンションアジャスタにより制御される。
【００２４】
更に図１１〜図１３を参照すると、各ホイール組立体４０は前述のハウジング４２を有している。各ホイール組立体の下方駆動部材１２２は、ハウジング上に回転可能に支持され、かつ下方駆動部材と駆動リーチ１１８とが係合することによって、関連レール６４の連続駆動部材１１２により回転駆動される。各ホイール組立体４０の駆動ベルト１２４が、下方駆動部材１２２および関連ホイール４４の上方駆動ギヤ１２６の回りを周回して、駆動部材１１２の駆動リーチ１１８により与えられるインペタス（運動量）によりホイール４４を回転駆動する。各ハウジングのばね付勢型テンションアジャスタ１２８は、駆動ベルト１２４の適正な張力を付与する。図１３に示すように、駆動部材１２２は第一駆動部材１３０を有し、該第一駆動部材１３０は駆動部材１１２の駆動リーチ１１８により駆動されかつ駆動ベルト１２４を駆動する第二駆動ギヤ１３２を有している。下方駆動部材１２２はハウジングの下端部の軸１３４により回転可能に取付けられており、一方、上方駆動ギヤ１２６およびホイール４４は軸線１３６によりハウジングの上端部に回転可能に取付けられている。図１１に示すように、各ホイール４４は、ガラスシートの予め曲げられた湾曲形状とはほぼ無関係の点でガラスシートと接触する全体として尖った形状をもつ環状外面４５を有している。
【００２５】
図１１および図１２に示すように、各ホイール組立体４０は、該ホイール組立体を関連レール６４にクランピングするクランプ１３８を有している。より詳しくは、ハウジングは、関連レール６４の上方フランジ１４２を受入れる側方スロット１４０を有し、クランプ部材１４４は、図１１に示すように、ハウジング１２０のクランプラグ１４８上に延びているフック形状の１対の脚１４６と、関連レール６４の垂直壁１５２と係合するクランプ脚１５０とを有している。ハウジングは、図示のクランプ関係を得るため螺合したときに、クランプ部材１５４と係合するねじボルト１５６を受入れるラグ１５４を有している。このように連結されると、レール６４に関連する駆動部材１１２の駆動リーチ１１８が下方駆動部材１２２と係合され、ホイール４４の駆動連結部を形成する。かくして、クランプ１３８のクランプ解除およびホイール組立体の取外しを行なうことにより、駆動機構から取外すことができる。
【００２６】
図５および図１４に示すように、本発明はまた、プレス曲げステーションを１つの製造作業から他の製造作業に切換えるのに行なわれるガラスシートプレス曲げ作業切換え方法を考えている。この切換え方法は、ホイール組立体４０がリングの形状内に全く存在しない下方ホイールベッド３６の第一リング状空隙内に受入れられた、図５に示す第一下方プレスリング５２から開始する。この第一下方プレスリング５２は取外されかつ図１４に示すような他の下方プレスリング５２′が第二リング状空隙内に配置される。この第二リング状空隙は、必要な全てのホイール組立体４０を取外しかつ第一リング状空隙（該第一リング状空隙は第二リング状空隙とはオーバーラップしない）を充填するのに必要なホイール組立体を取付けることにより形成される。かくして、図５に示す下方プレスリング５２から図１４に示す下方プレスリング５２′へと切換えられるときに、図５に参照番号４０aで示されるホイール組立体が取外されて、図１４に示すようにホイール組立体４０bが付加される。レール６４へのホイール組立体の取付けおよびレール６４からのホイール組立体の取外しは、前述のように、図１１に示したクランプ１３８のクランピングおよびクランピング解除により行なわれる。
【００２７】
図１５に示すように、上記作業切換えは、或る場合（曲率が同程度の場合）には、異なるリング形状に対して同じ上方プレス金型を使用できる。しかしながら、或る場合には、前に使用した上方プレス金型を取外して、搬送方向および／または搬送方向に対して横方向に異なる曲率をもつ第二上方プレス金型５８′を配置する必要があることもある。
以上、本発明の装置の好ましい実施形態およびその作動方法について詳細に説明したが、当業者ならば、特許請求の範囲に記載の本発明を実施する種々の形態を理解できるであろう。
【図面の簡単な説明】
【００２８】
【図１】本発明による方法を実施するためのガラスシートのプレス曲げシステムであって、本発明に従って一作業から他作業に容易に切換えることができるプレス曲げシステムを示す側面図である。
【図２】図１のシステムの炉の出口における、図１の２−２線に沿う断面図であり、各加熱ガラスシートが、プレス曲げの準備として炉を出る前のロール成形のために搬送される水平ロールおよび傾斜ロールを示すものである。
【図３】図１のシステムの３−３線に沿う断面図であり、最初にロール成形されたガラスシートをプレス曲げすべく実線位置と破線位置との間で移動できる下方のリング金型および上方のプレス金型を備えた本発明によるプレス曲げステーションの構造を示すものである。
【図４】図３の４−４線に沿う断面図であり、プレス曲げステーションの構造を更に詳細に示すものである。
【図５】図４の５−５線の方向から見た平面図であり、下方のプレスリングが、プレス曲げの前にロール曲げステーションからロール成形されたガラスシートを受入れるホイールベッドにより受入れられる態様を示すものである。
【図６】プレス曲げステーションが本発明に従って平ガラスシートを受け入れかつ成形する構成のシステムの他の実施形態を示す側面図である。
【図７】プレス曲げの前のガラスシートの平らな形状を更に示す、図６の７−７線に沿う断面図である。
【図８】図１〜図５に示したプレス曲げステーションの実施形態であって、下方ホイールベッドが湾曲形状を有するが、ホイールベッドが平形状を有する図６および図７の実施形態にも適用できるところを示すものである。
【図９】図３と同じ方向から見たプレス曲げステーションの断面図であり、プレスステーションの構造を更に詳細に示すものである。
【図１０】図９の１０−１０線に沿う側面図でり、ベッドの下方支持体の関連レール上に取付けられる下方ホイールベッド／ホイール組立体の構造を示すものである。
【図１１】図１０の１１−１１線に沿う部分断面図であり、ホイールベッドのホイール組立体の構造および下方ホイールベッド支持体の関連レールにクランプされたアタッチメントを示すものである。
【図１２】図１１の１２−１２線の方向に沿うホイール組立体の断面図であり、連続駆動ベルトを通る下方駆動部材が、組立体の上方ホイール（該ホイール上でガラスシートが搬送される）を駆動する構造および態様を示すものである。
【図１３】各ホイールの下方駆動部材が関連駆動機構の連続駆動部材により回転駆動され、上方ホイールを、その関連連続駆動ベルトを介して駆動する態様を示す概略図である。
【図１４】図５と同じ方向から見た平面図であり、下方ホイールベッドのホイール組立体が取外されかつたのホイールベッドが取付けられていて、
【図１５】１つの製造作業から次の製造作業に切換えるときに、下方プレスリングに加えて上方プレス金型も切換えることができる態様を示すプレス曲げステーションの側面図である。
【符号の説明】
【００２９】
１０  ガラスシート加工システム
１２  プレス曲げステーション
１４  炉
１６  ロール曲げステーション
１８  焼入れステーション
３６  下方ホイールベッド
４０  ホイール組立体
７８  ねじアジャスタ
８８  下方垂直オペレータ
９０  上方垂直オペレータ
【国際公開パンフレット】
2004530624.tif 000003
2004530624.tif 000004
2004530624.tif 000005
2004530624.tif 000006
2004530624.tif 000007
2004530624.tif 000008
2004530624.tif 000009
2004530624.tif 000010
2004530624.tif 000011
2004530624.tif 000012
2004530624.tif 000013
2004530624.tif 000014
2004530624.tif 000015
2004530624.tif 000016
2004530624.tif 000017
2004530624.tif 000018
2004530624.tif 000019
2004530624.tif 000020
2004530624.tif 000021
2004530624.tif 000022
2004530624.tif 000023
2004530624.tif 000024
2004530624.tif 000025
2004530624.tif 000026
2004530624.tif 000027
2004530624.tif 000028
【国際調査報告】
2004530624.tif 000029